(57)【要約】      （修正有）【課題】合成樹脂を用いて製造することができ、飲料が充填されたボトルの出口を確実に閉塞しながらも、更にウォーターサーバーに設置する際には、当該ボトル内の飲料を、ウォーターサーバー内に確実に供給できるようにした、飲料サーバー用のボトル口アダプタを提供する。【解決手段】ペットボトルを飲料サーバーに設置する為の飲料サーバー用のボトル口アダプタであって、ペットボトルの口部を装着可能な内壁面によって区画された第１の領域１２と、飲料サーバーに装着されるキャップを外装する外壁内に区画された第２の領域１３とを備え、当該第１の領域と第２の領域とは連通していることを特徴とする。【選択図】図１
0003191141.tif 000002
【実用新案登録請求の範囲】
【請求項１】
ペットボトルを飲料サーバーに設置する為の飲料サーバー用のボトル口アダプタであって、
ペットボトルの口部が装着される壁面を具備する第１部分と、飲料サーバーに設置されるノンスピルスクリューキャップが装着される壁面を具備する第２部分とからなるアダプタ本体を伴って構成されており、
前記第１部分を形成する壁面内には、前記ペットボトルの口部が開口する第１の領域が区画されると共に、前記第２部分内には、前記第１の領域と連通する第２の領域が区画されており、当該第２の領域の下端側は開口部を備えていることを特徴とする飲料サーバー用のボトル口アダプタ。
【請求項２】
更に飲料サーバーにおけるボトル設置部に装着されるノンスピルスクリューキャップを含んで構成されており、
当該ノンスピルスクリューキャップは、有底筒体であって、底面の中央に内側に向かって環状に立ち上がって開口する注水口と、当該注水口を閉塞する栓部材とからなり、前記第２の領域の下端側の開口部を閉塞して設置されており、
前記第１の領域と第２の領域との間には、両領域を連通する連通部分を備える仕切部が設けられており、
当該仕切部における連通部分は、前記ノンスピルスクリューキャップを構成する栓部材が通過できない大きさ又は形状に形成されている、請求項２に記載の飲料サーバー用のボトル口アダプタ。
【請求項３】
前記栓部材は前記注水口に嵌合しており、
前記第２部分内に形成される第２の領域において、前記注水口よりも上方の高さは、当該栓部材の高さよりも高い、請求項１又は２に記載の飲料サーバー用のボトル口アダプタ。
【請求項４】
前記第１部分における第１の領域を区画する壁面は、第２の領域から離れる向きに内径を段階的に大きく形成されている、請求項１〜３の何れか一項に記載の飲料サーバー用のボトル口アダプタ。
【考案の詳細な説明】
【技術分野】
【０００１】
本考案は、飲料サーバーに設置される飲料のボトルに装着されるボトル口アダプタに関し、特に市販のペットボトルを飲料サーバーに設置できるようにするボトル口アダプタに関する。
【背景技術】
【０００２】
近年では、環境問題等から水道水に対する不安の声もあり、また水道水は独特なカルキ臭があることから、料理や直接飲用に用いたがらない、水の味を重視して天然水（地下水）を手軽に利用したい等の要望から、ウォーターサーバー等の飲料サーバーが広く普及している。
【０００３】
かかる飲料サーバーは、飲料が充填されたボトルをセットして、5℃〜10℃の冷水と80℃〜90℃の熱水が出てくる冷水熱水器具として提供されており、飲料が充填されたボトルは、空になった時に、ボトルごと交換しなければならないものとなっている。そして従来の飲料サーバーに使用されるボトルは、８リットル以上のものが提供されていたことから、重く、当該ボトルの交換作業が重労働となっていた。特にタンクをサーバーの上部に設置する上置き型のウォーターサーバーでは、１０リットル以上の水などが充填されたタンクを持ち上げなければならず、極めて重労働であった。
【０００４】
そこで、このタンク設置の重労働を軽減する為に、これまでにも種々の提案がなされている。例えば、特許文献１（特開２０１１−２１３４１１号公報）では、ウォーターサーバー等と称されるガロンボトル内の飲料水を供給する装置に対して、市販のペットボトルの飲料水を利用することができるようにするためのキャップ及びアダプタが提案されている。より具体的には、仕切部と、この仕切部が底になり、市販のペットボトルの口部に対応するねじ込み形状が内壁に形成されている第一凹部と、この第一凹部の凹みと逆向きに凹んで前記仕切部が底になり、所定の外径を有する第二凹部とから筒状に形成されたキャップ本体に、前記第一凹部と前記第二凹部との間を連絡する導水孔が設けられ、前記キャップ本体内の前記仕切部を上下に摺動自在に貫通する棒状部材が取り付けられるとともに、前記棒状部材の前記第一凹部側には前記導水孔を塞ぐ閉塞部材が、前記棒状部材の前記第二凹部側には前記仕切部から前記第二凹部の開放側へ付勢する弾性部材がそれぞれ取り付けられて構成され、前記棒状部材が前記第一凹部側へ摺動させられることにより、前記閉塞部材による前記導水孔の閉塞が解除されるキャップが提案されている。
【０００５】
また、特許文献２（特開２００７−２５４０２２号公報）では、例えば屋内等の任意の場所に設置されて冷水や温水を提供するウォーターディスペンサーに関するものとして、筐体と、前記筐体内に配置され、冷水を貯蔵する冷水タンクと、前記筐体の上面側に配置され、給水源の注水口を着脱自在に取付けることにより前記給水源の注水口と連通する給水孔を有すると共に、前記給水孔と前記冷水タンクとを連通し、前記給水源の注水口を取付けた状態で前記給水源と前記冷水タンクとを前記注水口及び前記給水孔を介して連通し、前記給水源の水を前記冷水タンク内に重力により供給する給水通路と、前記筐体の上面に設けられ、少なくとも複数種類の給水源を選択的に連結して、前記給水通路に当該給水源からの給水を供給する給水部とを備えるウォーターディスペンサーが提案されている。
【先行技術文献】
【特許文献】
【０００６】
【特許文献１】特開２０１１−２１３４１１号公報
【特許文献２】特開２００７−２５４０２２号公報
【考案の概要】
【考案が解決しようとする課題】
【０００７】
上記の様に、従前においてもボトル交換時の労力を軽減するべく、市販のペットボトルなど、小型の容器を使用するためのアイデアは種々提案されている。しかしながら、上記特許文献で提案されている技術は、導水孔を塞ぐために円形ゴムが使用され、また円形ゴムで導水孔を塞ぐために巻きバネを使用しなければならないものとなっていた。
【０００８】
この点、近年において、当該ウォーターサーバーに対する消費者の関心は、特に衛生面について高まっているのが実情である。このことは、水を充填している容器についても、利用の度にボトル内に外気が入り込むガロンボトル式のウォーターサーバー（業者回収型）よりも、容器内に空気が入り込まないクラッシャブルボトル（使い捨て）が好評を得ている事からも明らかである。
【０００９】
よって、このような衛生面に関する需要者の要望に応えるためには、容器内に充填された水がウォーターサーバーの注口に至るまでには、サビ等が発生する可能性のある金属部材や、雑菌が繁殖する可能性のあるゴム部材を存在させないか、或いは極力減じる事が望ましい。
【００１０】
そこで本考案は、合成樹脂を用いて製造することができ、飲料が充填されたボトルの出口を確実に閉塞しながらも、更にウォーターサーバーに設置する際には、当該ボトル内の飲料を、ウォーターサーバー内に確実に供給できるようにした、飲料サーバー用のボトル口アダプタを提供することを第１の課題とする。
【００１１】
また、広く普及しているウォーターサーバーに適用可能なノンスピルスクリューキャップを、従来市販されている１〜２Ｌのペットボトルに装着できるようにした飲料サーバー用のボトル口アダプタを提供することを第２の課題とする。
【課題を解決するための手段】
【００１２】
即ち、本考案においては前記課題の少なくとも何れかを解決するべく、  ペットボトルを飲料サーバーに設置する為の飲料サーバー用のボトル口アダプタであって、ペットボトルの口部が装着される壁面を具備する第１部分と、飲料サーバーに設置されるノンスピルスクリューキャップが装着される壁面を具備する第２部分とからなるアダプタ本体を伴って構成されており、前記第１部分を形成する壁面内には、前記ペットボトルの口部が開口する第１の領域が区画されると共に、前記第２部分内には、前記第１の領域と連通する第２の領域が区画されており、当該第２の領域の下端側は開口部を備えている飲料サーバー用のボトル口アダプタを提供する。
【００１３】
上記第１の領域は、ペットボトルの口部を装着可能な内壁面によって区画された領域とし、また第２の領域は、飲料サーバーに装着されるキャップを外装する外壁内に区画された領域とすることができ、当該第１の領域と第２の領域とは連通することが必要である。
【００１４】
前記第１部分は、後述するような市販されている各種のペットボトルにおける口部を、嵌合又は螺合等によって装着することのできる壁部を備えて構成されている。また当該第１部分を形成する壁面により区画される第１の領域には、当該ペットボトルにおける口部（注ぎ口）が存在し、これにより当該第１の領域は、ペットボトルの内部空間と連通することになる。
【００１５】
特に、前記第１の領域の壁面は、その内側に、ペットボトルの口部に形成されたネジ山を螺合する為のネジ溝を形成し、前記ペットボトルを前記第１の領域に螺合して装着できるようにすることが望ましい。ペットボトルの口部を確実に固定する為である。また当該壁面が前記ペットボトルの口部を嵌合する場合には、前記第１の領域の少なくとも一部に、ゴムパッキン等の固定部材を備えることが望ましい。嵌合されたペットボトルの口部をゴムパッキンにより固定し、外れにくくするためである。また、ゴムパッキンはゴム製である為、接続部からペットボトルの内容物が外部へ漏出するおそれを低減することができる。
【００１６】
前記第２部分は、飲料サーバーに設置されるノンスピルスクリューキャップを、嵌合又は螺合等によって装着することのできる壁面を備えて構成されている。そしてこの第２部分の内部に区画されている第２の領域は、前記第１の領域と連通するものとして形成される。この第２部分は、例えば、第２部分を構成する壁面の外面に、飲料サーバーに装着されるノンスピルスクリューキャップのネジ山と螺合するネジ溝を形成し、当該ノンスピルスクリューキャップ内に螺合することができる。両者を螺合することで、当該ノンスピルスクリューキャップとの連結を確実にすることができる。
【００１７】
この第２の領域の下端側は開口部を備えている。そしてこの開口部は、当該第２部分にノンスピルスクリューキャップを連結する事により閉塞される。即ち、ノンスピルスクリューキャップは、有底筒体形状であって、筒状に形成されている第２部分の外側に被さるように設置され、第２の領域の下端側の開口部を閉塞する。そしてその底面の中央には、内側に向かって環状に立ち上がって開口する注水口が設けられており、この注水口には栓部材が嵌合されている。そして第２の領域は前記第１の領域と連通している事から、ペットボトルの内部空間と連通することになる。そして当該第２の領域の下端の設けられる開口部は、前記ノンスピルスクリューキャップに閉塞されている事から、当該ペットボトル内部空間と、第１の領域、及び第２の領域との連結空間は、当該ノンスピルスクリューキャップ、より具体的にか注水口を閉塞する蓋部材によって閉じられている。
【００１８】
前記注水口は、前記第２の領域内に流入した前記ペットボトルの内容物を、飲料サーバー内に供給する為の注ぎ口として機能する。かかる注水口は、飲料サーバーに接続される以前には栓部材により閉塞されており、飲料サーバーに接続される際に飲料サーバーの導水部により上方へ持ち上げられ開栓され、ペットボトルの内容物を飲料サーバーに供給することができる。
【００１９】
そして上記本考案にかかる飲料サーバー用のボトル口アダプタでは、前記第１の領域と第２の領域との間には、両領域を連通する連通部分を備える仕切部を設けることができる。かかる仕切部における連通部分は、前記ノンスピルスクリューキャップを構成する栓部材が通過できない大きさ又は形状に形成するのが望ましい。但し、前記ペットボトルの内容物は、前記連通部分を通じて前記第２の領域に流下する為、前記連通部分の開口径は前記ペットボトルの内容物が流れ出るのに支障をきたさない大きさに形成される。具体的には、前記連通部分の開口径は１ｃｍ〜４ｃｍとして形成することが望ましく、特に２〜３ｃｍとして形成することが望ましい。
【００２０】
当該仕切部を設け、且つ連通部分の開口径を規制することにより、使用時に外れた栓部材が前記連通部分を通過することができずに前記第２の領域内に留まる為、栓部材が前記第１の領域ないし前記ペットボトル内に入り込むことを防ぐことができる。
【００２１】
上記仕切部は、第１の領域と第２の領域との間に内向きフランジ状に形成し、当該フランジの中心開口を連通部分とすることができる。この時、当該内向きフランジの中心開口（連通部分）の内径は、前記栓部材が通過できない大きさ（栓部材の最小辺より小さい内径）として形成することで、前記栓部材が前記ペットボトル内に入り込む事を防ぐことができる。
【００２２】
またフランジ部分を幅広に形成した場合には、当該フランジ部に複数の開口を形成して、当該開口を連通部分とする事もできる。更にこの仕切部は、メッシュ又は多孔板を用いて形成し、第１の領域と第２の領域との間に展開して存在させることができる。この時、当該メッシュ孔又は開口が連通部分として機能することができる。そしてこの仕切部は、十字状、放射状、格子状その他の形状の梁部材として形成し、当該梁部材により栓部材の通過を阻止し、栓部材が前記ペットボトル内に入り込むのを防ぐことができる。この時、当該梁部材の間隔は、前記栓部材が通過できない大きさとする事が必要である。ここで、前記栓部材が通過できない大きさとは、一般的に利用されている飲料サーバーに装着されるキャップが備える栓部材の最小辺の大きさ未満の大きさを言い、具体的には１．５ｃｍ未満とすることが望ましく、特に１ｃｍ未満とすることが望ましい。
【００２３】
また、市販されているペットボトルの口部は様々な外形のものが存在する。そこで、外径が異なるペットボトルであっても第一部分に保持できるように形成することが望ましい。そのために、当該第１部分における第１の領域を区画する壁面は、第２の領域から離れる向きに内径を段階的に大きく形成するか、或いは当該第１の領域を、第２の領域から離れる向きに内径を広げた漏斗形状に形成することが望ましい。
【００２４】
更に、ノンスピルスクリューキャップについても、使用する飲料サーバーに適応させて、様々な外径や内径のものが提供されている。そこで、このような市販されている様々なノンスピルスクリューキャップについても適用できるように、前記第２部分における壁面の外径は、第２の領域から離れる向きに内径を段階的に小さく形成するか、或いは当該第２部分における壁面を、第２の領域から離れる向きに内径を窄めた先窄み形状に形成することが望ましい。
【００２５】
上記本考案にかかる飲料サーバー用のボトル口アダプタが、アダプタ本体にノンスピルスクリューキャップを取り付けて使用する場合、当該アダプタを飲料サーバーに設置する際、当該ノンスピルスクリューキャップにおける栓部材を確実に開栓できるように構成するのが望ましい。即ち、前記ノンスピルスクリューキャップにおける栓部材が、内側から前記注水口に嵌合して、当該注水口を閉塞している場合、前記第２部分内に形成される第２の領域において、前記注水口よりも上方の高さは、当該栓部材の高さよりも高くなるように形成するのが望ましい。当該注水口を閉塞する栓部材を確実に抜き出すことができるようにするためである。
【００２６】
前記飲料サーバーは、利用者の操作により栓を開閉することで、内部又は外部に貯留された飲料を所定の排出部位から流下させ、利用者に提供するものを利用することができ、例えば、いわゆるウォーターサーバー等を利用することができる。内部にクーラーやヒーターを備え、飲料を冷却又は加熱して提供することも差し支えない。
【００２７】
本考案にかかる飲料サーバー用のボトル口アダプタは、前記ペットボトルが前記第１の領域に接続され、前記飲料サーバーに装着されるキャップが前記第２の領域に接続されることにより、前記ペットボトルの内容物を前記飲料サーバーへ供給する供給路を構成する。前記ペットボトルの内容物は、前記第１の領域と前記第２の領域との連通部分を通じて前記第２の領域に流下し、前記第２の領域の外壁と前記前記飲料サーバーに装着されるキャップの底面とにより区画される空間に貯留され又は通過して、前記前記飲料サーバーに装着されるキャップの底面に設けられた前記注水口を通じて、前記飲料サーバー内に供給される。
【００２８】
上記本考案にかかる飲料サーバー用のボトル口アダプタに適用できるペットボトルは、一般的に利用されている各種のペットボトルを用いることができる。例えば、水や茶等を収容する無菌充填用ペットボトル、炭酸飲料を収容する耐圧ペットボトル、果汁飲料やホットドリンク等を収容する耐熱ペットボトルを使用することができる。前記ペットボトル内部に収容される内容物は、液体の飲料であればよく、例えば、水、茶、コーヒー、果汁飲料、炭酸飲料等を利用することができる。
【００２９】
また前記ペットボトルの容量は、使用する人数や、交換サイクル等に応じて適宜決定することができ、例えば、１２０ｍｌ、５００ｍｌ、１０００ｍｌ、２０００ｍｌ等一般的に流通している各種の容量のペットボトルを広く利用することができる。また、２１０ｍｌ、１５００ｍｌ、２５００ｍｌなど、一般的には市販されていない容量のものを使用してもよい。本考案にかかるボトル口アダプタは、一般的なノンスピルスクリューキャップへペットボトルを装着可能にして飲料サーバーにおいて利用可能にすることで、ボトル交換の際の負担を軽減することができる為、比較的多人数で使用することができる容量でありながらも、交換の際の負担が過重とならない容量として構成することが望ましい。具体的には、５００ｍｌ〜３０００ｍｌとすることが望ましく、特に１０００ｍｌ〜２０００ｍｌとすることが望ましい。
【００３０】
なお、本考案にかかる飲料サーバー用のボトル口アダプタを使用する際には、前記ペットボトルの口部を前記第１部分に嵌合又は螺合し、前記ペットボトルの口部を下方にして、倒立させる。この為、前記ペットボトルの口部に荷重が集中するおそれがある。よって、前記ペットボトルの口部ないしその周辺部分の変形や破損のおそれを低減させる為に、本考案にかかる飲料サーバー用のボトル口アダプタに使用するペットボトルは、その口部乃至はその周辺部分の曲げ強度が、ペットボトルの内容物の荷重に耐え得る程度である事が望ましい。また、当該飲料サーバー用のボトル口アダプタは、倒立状態で設置したペットボトルを保持する支持部を設ける事も望ましい。かかる支持部は、前記アダプタ本体から立ち上がるように設けたアームとして形成することができる。
【考案の効果】
【００３１】
以上のように構成される本考案にかかる飲料サーバー用のボトル口アダプタは、サビ等が発生するおそれのある金属部材や、雑菌が繁殖しやすいゴム部材等を使用することなく、合成樹脂の射出成形やブロー成形等の手段により作成できる為、飲料サーバーを利用する場合であっても、飲料を従来よりも衛生的に貯留し供給することができる。
【００３２】
また、本考案にかかる飲料サーバー用のボトル口アダプタは、前記第１部分に形成される第１の領域にペットボトルを装着することができ、前記第２部分に形成される第２の領域に飲料サーバーに用いられるノンスピルスクリューキャップ等を装着することができる為、従来提供されている飲料サーバーにおいても、飲料を貯留する容器としてペットボトルを利用可能とすることができる。これにより、従来提供されている飲料サーバーであっても、ボトル交換の負担を軽減することができる。
【図面の簡単な説明】
【００３３】
【図１】第１の実施形態を示す、（Ａ）平面図、（Ｂ）正面図、（Ｃ）底面図、（Ｄ）Ｄ−Ｄ断面図
【図２】第１の実施形態の使用状態を示す、（Ａ）分解斜視図、（Ｂ）斜視図
【図３】第１の実施形態の使用状態を示す、（Ａ）断面図（飲料サーバー接続前）、（Ｂ）断面図（飲料サーバー接続後）
【図４】第２の実施形態を示す断面図
【図５】第３の実施形態を示す断面図
【図６】第４の実施形態を示す断面図
【図７】第５の実施形態を示す平面図
【考案を実施するための形態】
【００３４】
以下、本実施の形態にかかる飲料サーバー用のボトル口アダプタを、図面を参照しながら詳細に説明する。図１は、第１の実施形態を示す、（Ａ）平面図、（Ｂ）正面図、（Ｃ）底面図、（Ｄ）Ｄ−Ｄ断面図である。本実施の形態にかかる飲料サーバー用のボトル口アダプタは、図１に示すように、ペットボトル２１の口部を装着する第１部分５１と、この第１部分の下方に一体形成されてノンスピルスクリューキャップ３１を外装する第２部分５２とからなるアダプタ本体５０を用いて形成されている。第１部分５１の内壁面には、ペットボトルの口部を装着可能なねじ込み部１４を形成しており、第二部分の外壁面には、飲料サーバーに装着されるキャップ（ノンスピルスクリューキャップ３１）を装着可能なねじ込み部１５を形成している。
【００３５】
前記第１の領域１２の上部の口径は、一般的に流通しているペットボトル２１を装着できるよう２．８ｃｍとして構成した。かかる口径は、他の口径のペットボトルを利用する場合や、ねじ込んだ際の締り具合等の諸般の事情に応じて適宜調整することができる。第２の領域１３の高さは、飲料サーバーに装着されるキャップが備える栓部材が飲料サーバーと接続した際に抜ける高さとして形成することができ、本実施の形態においては２．５ｃｍとして形成した。かかる高さとすることで、飲料サーバーに装着されるキャップとして一般的に流通しているノンスピルスクリューキャップ３１に対応する高さとすることができる。使用するキャップの種類や栓部材の高さその他の事情に応じて、第２の領域１３の高さを適宜調整しても差し支えない。第１の領域１２と第２の領域１３とは連通しており、第１の領域１２に装着されたペットボトルの内容物は、当該連通部分を通り第２の領域１３以下へと流下する。この為、当該連通部分は、ペットボトル２１の内容物が通過することができる大きさとして形成することができ、本実施の形態においては、直径２．８ｃｍの略円形状に形成した。
【００３６】
図２は、第１の実施形態の使用状態を示す、（Ａ）分解斜視図、（Ｂ）斜視図である。本実施の形態にかかる飲料サーバー用のボトル口アダプタ１１は、前記アダプタ本体５０とノンスピルスクリューキャップ３１とを組み合わせて構成されており、図２に示す通り、上方にペットボトル２１、下方のノンスピルスクリューキャップ３１を飲料サーバー４１に接続して使用される。ペットボトル２１とノンスピルスクリューキャップ３１は、本実施の形態にかかる飲料サーバー用のボトル口アダプタ１１と各々螺合することにより接続される。よって、前記第１の領域は円筒状の内壁部を備え、第２部分のは円筒状の外周を備えて構成されている。
【００３７】
ノンスピルスクリューキャップ３１は、飲料サーバー４１へ嵌合されて接続される。本実施の形態においては、飲料サーバー４１への嵌合によりノンスピルスクリューキャップ３１が開栓される為、ペットボトル２１、飲料サーバー用のボトル口アダプタ１１及びノンスピルスクリューキャップ３１を各々接続した後に、飲料サーバー４１へ接続することが望ましい。
【００３８】
図３は、第１の実施形態の使用状態を示す、（Ａ）断面図（飲料サーバー接続前）、（Ｂ）断面図（飲料サーバー接続後）である。ノンスピルスクリューキャップ３１は、底面の中央に上方へ向かって曲折する内壁により区画された注水口３２が設けられており、注水口３２の上部開口は栓部材３３を備えている。上述のとおり、本実施の形態においては、飲料サーバー４１への嵌合によりノンスピルスクリューキャップ３１が開栓され、ペットボトル２１の内容物が流下する。具体的には、図３（Ａ）に示すように、各々接続されたペットボトル２１、飲料サーバー用のボトル口アダプタ１１及びノンスピルスクリューキャップ３１は、飲料サーバー４１への接続前においては注水口３２が栓部材３３により閉塞されて内容物が流下しないが、図３（Ｂ）に示す通り、飲料サーバー４１への嵌合により飲料サーバー４１の導水口４２が栓部材３３を押し上げて開栓し、飲料サーバー４１内へ飲料を供給する。
【００３９】
以上のように構成される、本実施の形態にかかるボトル口アダプタは、サビ等が発生するおそれのある金属部材や、雑菌が繁殖しやすいゴム部材等を使用することなく、合成樹脂の射出成形やブロー成形等の手段により作成できる為、飲料サーバーを利用する場合であっても、飲料を従来よりも衛生的に貯留し供給することができる。また、本実施の形態にかかる飲料サーバー用のボトル口アダプタは、第１の領域にペットボトルを装着することができ、第２の領域にノンスピルスクリューキャップを装着することができる為、従来提供されている飲料サーバーにおいても、飲料を貯留する容器としてペットボトルの利用を可能にすることができる。これにより、従来提供されている飲料サーバーであっても、ボトル交換の負担を軽減することができる。
【００４０】
図４は、第２の実施形態を示す断面図である。本実施の形態にかかる飲料サーバー用のボトル口アダプタは、第１の領域１２を、高さ方向における下方に向かって窄む先窄み形状（いわゆるすり鉢状）として形成した。本実施の形態においては、最小２．８ｃｍ〜最大３．５ｃｍの口径の口部を有するペットボトルを装着可能に構成した。かかる先窄み形状の最小径と最大径は、利用が予想されるペットボトルの口部の口径との関係において適宜調整することができる。
【００４１】
本実施の形態にかかる飲料サーバー用のボトル口アダプタによれば、口径が２．８ｃｍ〜３．５ｃｍの範囲内の様々な口径のペットボトルを装着することができるので、更に利用の幅を広げることができる。
【００４２】
図５は、第３の実施形態を示す断面図である。実施の形態にかかる飲料サーバー用のボトル口アダプタは、第１の領域１２に固定部材としてゴムパッキン１２１を備えた。本実施の形態においては、第１の領域にねじ込み部を形成しておらず、ペットボトルは第１の領域へ嵌合されて接続される。このとき、嵌合されたペットボトルの口部は、ゴムパッキン１２１により固定されて第１の領域１２から外れにくくなる。また、ゴムパッキン１２１はゴム製である為、ペットボトルの内容物を遮断することができ、外部へ漏出するおそれを低減させることができる。なお、ゴムパッキン１２１に代えて、スポンジ等の他の固定部材を設けることも差し支えない。
【００４３】
本実施の形態にかかるボトル口アダプタによれば、第１の領域１２にゴムパッキン１２１が備えられており、ペットボトルを嵌合により接続する場合であっても、より強固に接続することができ、ペットボトルの脱落や内容物の漏出の危険を低減させることができる。
【００４４】
図６は、第４の実施形態を示す断面図である。本実施の形態においては、第１の領域１２に仕切部１２２を設けた。仕切部１２２は、第１の領域１２の下端から中央方向へ延出する板状部材であり、仕切部１２２の中央には第２の領域１３への連通部分となる孔１２３を設けた。当該孔１２３は、ノンスピルスクリューキャップの栓部材３３の最小辺より小さくなるよう直径０．９ｃｍとして形成しており、栓部材の通過を阻止することができる（栓部材の最小辺は１ｃｍ）。連通部分となる孔を複数設けることも差し支えない。
【００４５】
本実施の形態にかかるボトル口アダプタは、第１の領域１２と第２の領域１３との連通部分を栓部材３３が通過することができず、栓部材３３が第２の領域１２内に留まる為、ペットボトル内への栓部材３３の侵入を防ぐことができる。
【００４６】
図７は、第５の実施形態を示す平面図である。本実施の形態においては、第１の領域１２の下端中央から放射状に広がる形状に形成した梁部材１２４を備えた。梁部材１２４により区画される連通部分は、ノンスピルスクリューキャップの栓部材より小さくなるよう各々開口箇所の最大幅が０．９ｃｍとなるよう形成した（栓部材の最小辺は１ｃｍ）。梁部材は栓部材の通過を阻止できるものであればよく、十字状、直線状その他の形状として適宜形成することができる。
【００４７】
本実施の形態にかかるボトル口アダプタは、梁部材１２４により区画される連通部分を栓部材が通過することができず、栓部材が第２の領域内に留まる為、ペットボトル内への栓部材の侵入を防ぐことができる。
【００４８】
なお、本考案にかかる飲料サーバー用のボトル口アダプタは、上記の実施形態に何ら限定されるものではなく、本考案の趣旨を逸脱しない限りにおいて、適宜変更することができる。
【符号の説明】
【００４９】
１１      ボトル口アダプタ
１２      第１の領域
１２１    ゴムパッキン
１２２    仕切部
１２３    仕切部の孔
１２４    梁部材
１３      第２の領域
１４      ペットボトルの口部に対応するねじ込み部
１５      ノンスピルスクリューキャップに対応するねじ込み部
２１      ペットボトル
３１      ノンスピルスクリューキャップ
３２      注水口
４１      飲料サーバー
４２      導水口
５０      アダプタ本体
５１      第１部分
５２      第２部分
【図１】
0003191141.tif 000003
【図２】
0003191141.tif 000004
【図３】
0003191141.tif 000005
【図４】
0003191141.tif 000006
【図５】
0003191141.tif 000007
【図６】
0003191141.tif 000008
【図７】
0003191141.tif 000009
【手続補正書】
【提出日】平成26年3月27日(2014.3.27)
【手続補正１】
【補正対象書類名】実用新案登録請求の範囲
【補正対象項目名】全文
【補正方法】変更
【補正の内容】
【実用新案登録請求の範囲】
【請求項１】
ペットボトルを飲料サーバーに設置する為の飲料サーバー用のボトル口アダプタであって、
ペットボトルの口部が装着される壁面を具備する第１部分と、飲料サーバーに設置されるスクリューキャップが装着される壁面を具備する第２部分とからなるアダプタ本体を伴って構成されており、
前記第１部分を形成する壁面内には、前記ペットボトルの口部が開口する第１の領域が区画されると共に、前記第２部分内には、前記第１の領域と連通する第２の領域が区画されており、当該第２の領域の下端側は開口部を備えていることを特徴とする飲料サーバー用のボトル口アダプタ。
【請求項２】
更に飲料サーバーにおけるボトル設置部に装着されるスクリューキャップを含んで構成されており、
当該スクリューキャップは、有底筒体であって、底面の中央に内側に向かって環状に立ち上がって開口する注水口と、当該注水口を閉塞する栓部材とからなり、前記第２の領域の下端側の開口部を閉塞して設置されており、
前記第１の領域と第２の領域との間には、両領域を連通する連通部分を備える仕切部が設けられており、
当該仕切部における連通部分は、前記スクリューキャップを構成する栓部材が通過できない大きさ又は形状に形成されている、請求項１に記載の飲料サーバー用のボトル口アダプタ。
【請求項３】
前記栓部材は前記注水口に嵌合しており、
前記第２部分内に形成される第２の領域において、前記注水口よりも上方の高さは、当該栓部材の高さよりも高い、請求項２に記載の飲料サーバー用のボトル口アダプタ。
【請求項４】
前記第１部分における第１の領域を区画する壁面は、第２の領域から離れる向きに内径を段階的に大きく形成されている、請求項１〜３の何れか一項に記載の飲料サーバー用のボトル口アダプタ。
【手続補正２】
【補正対象書類名】明細書
【補正対象項目名】全文
【補正方法】変更
【補正の内容】
【考案の詳細な説明】
【技術分野】
【０００１】
本考案は、飲料サーバーに設置される飲料のボトルに装着されるボトル口アダプタに関し、特に市販のペットボトルを飲料サーバーに設置できるようにするボトル口アダプタに関する。
【背景技術】
【０００２】
近年では、環境問題等から水道水に対する不安の声もあり、また水道水は独特なカルキ臭があることから、料理や直接飲用に用いたがらない、水の味を重視して天然水（地下水）を手軽に利用したい等の要望から、ウォーターサーバー等の飲料サーバーが広く普及している。
【０００３】
かかる飲料サーバーは、飲料が充填されたボトルをセットして、5℃〜10℃の冷水と80℃〜90℃の熱水が出てくる冷水熱水器具として提供されており、飲料が充填されたボトル
は、空になった時に、ボトルごと交換しなければならないものとなっている。そして従来の飲料サーバーに使用されるボトルは、８リットル以上のものが提供されていたことから、重く、当該ボトルの交換作業が重労働となっていた。特にタンクをサーバーの上部に設置する上置き型のウォーターサーバーでは、１０リットル以上の水などが充填されたタンクを持ち上げなければならず、極めて重労働であった。
【０００４】
そこで、このタンク設置の重労働を軽減する為に、これまでにも種々の提案がなされている。例えば、特許文献１（特開２０１１−２１３４１１号公報）では、ウォーターサーバー等と称されるガロンボトル内の飲料水を供給する装置に対して、市販のペットボトルの飲料水を利用することができるようにするためのキャップ及びアダプタが提案されている。より具体的には、仕切部と、この仕切部が底になり、市販のペットボトルの口部に対応するねじ込み形状が内壁に形成されている第一凹部と、この第一凹部の凹みと逆向きに凹んで前記仕切部が底になり、所定の外径を有する第二凹部とから筒状に形成されたキャップ本体に、前記第一凹部と前記第二凹部との間を連絡する導水孔が設けられ、前記キャップ本体内の前記仕切部を上下に摺動自在に貫通する棒状部材が取り付けられるとともに、前記棒状部材の前記第一凹部側には前記導水孔を塞ぐ閉塞部材が、前記棒状部材の前記第二凹部側には前記仕切部から前記第二凹部の開放側へ付勢する弾性部材がそれぞれ取り付けられて構成され、前記棒状部材が前記第一凹部側へ摺動させられることにより、前記閉塞部材による前記導水孔の閉塞が解除されるキャップが提案されている。
【０００５】
また、特許文献２（特開２００７−２５４０２２号公報）では、例えば屋内等の任意の場所に設置されて冷水や温水を提供するウォーターディスペンサーに関するものとして、筐体と、前記筐体内に配置され、冷水を貯蔵する冷水タンクと、前記筐体の上面側に配置され、給水源の注水口を着脱自在に取付けることにより前記給水源の注水口と連通する給水孔を有すると共に、前記給水孔と前記冷水タンクとを連通し、前記給水源の注水口を取付けた状態で前記給水源と前記冷水タンクとを前記注水口及び前記給水孔を介して連通し、前記給水源の水を前記冷水タンク内に重力により供給する給水通路と、前記筐体の上面に設けられ、少なくとも複数種類の給水源を選択的に連結して、前記給水通路に当該給水源からの給水を供給する給水部とを備えるウォーターディスペンサーが提案されている。
【先行技術文献】
【特許文献】
【０００６】
【特許文献１】特開２０１１−２１３４１１号公報
【特許文献２】特開２００７−２５４０２２号公報
【考案の概要】
【考案が解決しようとする課題】
【０００７】
上記の様に、従前においてもボトル交換時の労力を軽減するべく、市販のペットボトルなど、小型の容器を使用するためのアイデアは種々提案されている。しかしながら、上記特許文献で提案されている技術は、導水孔を塞ぐために円形ゴムが使用され、また円形ゴムで導水孔を塞ぐために巻きバネを使用しなければならないものとなっていた。
【０００８】
この点、近年において、当該ウォーターサーバーに対する消費者の関心は、特に衛生面について高まっているのが実情である。このことは、水を充填している容器についても、利用の度にボトル内に外気が入り込むガロンボトル式のウォーターサーバー（業者回収型）よりも、容器内に空気が入り込まないクラッシャブルボトル（使い捨て）が好評を得ている事からも明らかである。
【０００９】
よって、このような衛生面に関する需要者の要望に応えるためには、容器内に充填された水がウォーターサーバーの注口に至るまでには、サビ等が発生する可能性のある金属部材や、雑菌が繁殖する可能性のあるゴム部材を存在させないか、或いは極力減じる事が望ましい。
【００１０】
そこで本考案は、合成樹脂を用いて製造することができ、飲料が充填されたボトルの出口を確実に閉塞しながらも、更にウォーターサーバーに設置する際には、当該ボトル内の飲料を、ウォーターサーバー内に確実に供給できるようにした、飲料サーバー用のボトル口アダプタを提供することを第１の課題とする。
【００１１】
また、広く普及しているウォーターサーバーに適用可能なスクリューキャップを、従来市販されている１〜２Ｌのペットボトルに装着できるようにした飲料サーバー用のボトル口アダプタを提供することを第２の課題とする。
【課題を解決するための手段】
【００１２】
即ち、本考案においては前記課題の少なくとも何れかを解決するべく、  ペットボトルを飲料サーバーに設置する為の飲料サーバー用のボトル口アダプタであって、ペットボトルの口部が装着される壁面を具備する第１部分と、飲料サーバーに設置されるスクリューキャップが装着される壁面を具備する第２部分とからなるアダプタ本体を伴って構成されており、前記第１部分を形成する壁面内には、前記ペットボトルの口部が開口する第１の領域が区画されると共に、前記第２部分内には、前記第１の領域と連通する第２の領域が区画されており、当該第２の領域の下端側は開口部を備えている飲料サーバー用のボトル口アダプタを提供する。
【００１３】
上記第１の領域は、ペットボトルの口部を装着可能な内壁面によって区画された領域とし、また第２の領域は、飲料サーバーに装着されるキャップを外装する外壁内に区画された領域とすることができ、当該第１の領域と第２の領域とは連通することが必要である。  
【００１４】
前記第１部分は、後述するような市販されている各種のペットボトルにおける口部を、嵌合又は螺合等によって装着することのできる壁部を備えて構成されている。また当該第１部分を形成する壁面により区画される第１の領域には、当該ペットボトルにおける口部（注ぎ口）が存在し、これにより当該第１の領域は、ペットボトルの内部空間と連通することになる。
【００１５】
特に、前記第１の領域の壁面は、その内側に、ペットボトルの口部に形成されたネジ山を螺合する為のネジ溝を形成し、前記ペットボトルを前記第１の領域に螺合して装着できるようにすることが望ましい。ペットボトルの口部を確実に固定する為である。また当該壁面が前記ペットボトルの口部を嵌合する場合には、前記第１の領域の少なくとも一部に、ゴムパッキン等の固定部材を備えることが望ましい。嵌合されたペットボトルの口部をゴムパッキンにより固定し、外れにくくするためである。また、ゴムパッキンはゴム製である為、接続部からペットボトルの内容物が外部へ漏出するおそれを低減することができる。
【００１６】
前記第２部分は、飲料サーバーに設置されるスクリューキャップを、嵌合又は螺合等によって装着することのできる壁面を備えて構成されている。そしてこの第２部分の内部に区画されている第２の領域は、前記第１の領域と連通するものとして形成される。この第２部分は、例えば、第２部分を構成する壁面の外面に、飲料サーバーに装着されるスクリューキャップのネジ山と螺合するネジ溝を形成し、当該スクリューキャップ内に螺合することができる。両者を螺合することで、当該スクリューキャップとの連結を確実にすることができる。
【００１７】
この第２の領域の下端側は開口部を備えている。そしてこの開口部は、当該第２部分にスクリューキャップを連結する事により閉塞される。即ち、スクリューキャップは、有底筒体形状であって、筒状に形成されている第２部分の外側に被さるように設置され、第２の領域の下端側の開口部を閉塞する。そしてその底面の中央には、内側に向かって環状に立ち上がって開口する注水口が設けられており、この注水口には栓部材が嵌合されている。そして第２の領域は前記第１の領域と連通している事から、ペットボトルの内部空間と連通することになる。そして当該第２の領域の下端の設けられる開口部は、前記スクリューキャップに閉塞されている事から、当該ペットボトル内部空間と、第１の領域、及び第２の領域との連結空間は、当該スクリューキャップ、より具体的にか注水口を閉塞する蓋部材によって閉じられている。
【００１８】
前記注水口は、前記第２の領域内に流入した前記ペットボトルの内容物を、飲料サーバー内に供給する為の注ぎ口として機能する。かかる注水口は、飲料サーバーに接続される以前には栓部材により閉塞されており、飲料サーバーに接続される際に飲料サーバーの導水部により上方へ持ち上げられ開栓され、ペットボトルの内容物を飲料サーバーに供給することができる。
【００１９】
そして上記本考案にかかる飲料サーバー用のボトル口アダプタでは、前記第１の領域と第２の領域との間には、両領域を連通する連通部分を備える仕切部を設けることができる。かかる仕切部における連通部分は、前記スクリューキャップを構成する栓部材が通過できない大きさ又は形状に形成するのが望ましい。但し、前記ペットボトルの内容物は、前記連通部分を通じて前記第２の領域に流下する為、前記連通部分の開口径は前記ペットボトルの内容物が流れ出るのに支障をきたさない大きさに形成される。具体的には、前記連通部分の開口径は１ｃｍ〜４ｃｍとして形成することが望ましく、特に２〜３ｃｍとして形成することが望ましい。
【００２０】
当該仕切部を設け、且つ連通部分の開口径を規制することにより、使用時に外れた栓部材が前記連通部分を通過することができずに前記第２の領域内に留まる為、栓部材が前記第１の領域ないし前記ペットボトル内に入り込むことを防ぐことができる。
【００２１】
上記仕切部は、第１の領域と第２の領域との間に内向きフランジ状に形成し、当該フランジの中心開口を連通部分とすることができる。この時、当該内向きフランジの中心開口（連通部分）の内径は、前記栓部材が通過できない大きさ（栓部材の最小辺より小さい内径）として形成することで、前記栓部材が前記ペットボトル内に入り込む事を防ぐことができる。
【００２２】
またフランジ部分を幅広に形成した場合には、当該フランジ部に複数の開口を形成して、当該開口を連通部分とする事もできる。更にこの仕切部は、メッシュ又は多孔板を用いて形成し、第１の領域と第２の領域との間に展開して存在させることができる。この時、当該メッシュ孔又は開口が連通部分として機能することができる。そしてこの仕切部は、十字状、放射状、格子状その他の形状の梁部材として形成し、当該梁部材により栓部材の通過を阻止し、栓部材が前記ペットボトル内に入り込むのを防ぐことができる。この時、当該梁部材の間隔は、前記栓部材が通過できない大きさとする事が必要である。ここで、前記栓部材が通過できない大きさとは、一般的に利用されている飲料サーバーに装着されるキャップが備える栓部材の最小辺の大きさ未満の大きさを言い、具体的には１．５ｃｍ未満とすることが望ましく、特に１ｃｍ未満とすることが望ましい。
【００２３】
また、市販されているペットボトルの口部は様々な外形のものが存在する。そこで、外径が異なるペットボトルであっても第一部分に保持できるように形成することが望ましい。そのために、当該第１部分における第１の領域を区画する壁面は、第２の領域から離れる向きに内径を段階的に大きく形成するか、或いは当該第１の領域を、第２の領域から離れる向きに内径を広げた漏斗形状に形成することが望ましい。
【００２４】
更に、スクリューキャップについても、使用する飲料サーバーに適応させて、様々な外径や内径のものが提供されている。そこで、このような市販されている様々なスクリューキャップについても適用できるように、前記第２部分における壁面の外径は、第２の領域から離れる向きに内径を段階的に小さく形成するか、或いは当該第２部分における壁面を、第２の領域から離れる向きに内径を窄めた先窄み形状に形成することが望ましい。
【００２５】
上記本考案にかかる飲料サーバー用のボトル口アダプタが、アダプタ本体にスクリューキャップを取り付けて使用する場合、当該アダプタを飲料サーバーに設置する際、当該スクリューキャップにおける栓部材を確実に開栓できるように構成するのが望ましい。即ち、前記スクリューキャップにおける栓部材が、内側から前記注水口に嵌合して、当該注水口を閉塞している場合、前記第２部分内に形成される第２の領域において、前記注水口よりも上方の高さは、当該栓部材の高さよりも高くなるように形成するのが望ましい。当該注水口を閉塞する栓部材を確実に抜き出すことができるようにするためである。
【００２６】
前記飲料サーバーは、利用者の操作により栓を開閉することで、内部又は外部に貯留された飲料を所定の排出部位から流下させ、利用者に提供するものを利用することができ、例えば、いわゆるウォーターサーバー等を利用することができる。内部にクーラーやヒーターを備え、飲料を冷却又は加熱して提供することも差し支えない。
【００２７】
本考案にかかる飲料サーバー用のボトル口アダプタは、前記ペットボトルが前記第１の領域に接続され、前記飲料サーバーに装着されるキャップが前記第２の領域に接続されることにより、前記ペットボトルの内容物を前記飲料サーバーへ供給する供給路を構成する。前記ペットボトルの内容物は、前記第１の領域と前記第２の領域との連通部分を通じて前記第２の領域に流下し、前記第２の領域の外壁と前記前記飲料サーバーに装着されるキャップの底面とにより区画される空間に貯留され又は通過して、前記前記飲料サーバーに装着されるキャップの底面に設けられた前記注水口を通じて、前記飲料サーバー内に供給される。
【００２８】
上記本考案にかかる飲料サーバー用のボトル口アダプタに適用できるペットボトルは、一般的に利用されている各種のペットボトルを用いることができる。例えば、水や茶等を収容する無菌充填用ペットボトル、炭酸飲料を収容する耐圧ペットボトル、果汁飲料やホットドリンク等を収容する耐熱ペットボトルを使用することができる。前記ペットボトル内部に収容される内容物は、液体の飲料であればよく、例えば、水、茶、コーヒー、果汁飲料、炭酸飲料等を利用することができる。
【００２９】
また前記ペットボトルの容量は、使用する人数や、交換サイクル等に応じて適宜決定することができ、例えば、１２０ｍｌ、５００ｍｌ、１０００ｍｌ、２０００ｍｌ等一般的に流通している各種の容量のペットボトルを広く利用することができる。また、２１０ｍｌ、１５００ｍｌ、２５００ｍｌなど、一般的には市販されていない容量のものを使用してもよい。本考案にかかるボトル口アダプタは、一般的なスクリューキャップへペットボトルを装着可能にして飲料サーバーにおいて利用可能にすることで、ボトル交換の際の負担を軽減することができる為、比較的多人数で使用することができる容量でありながらも、交換の際の負担が過重とならない容量として構成することが望ましい。具体的には、５００ｍｌ〜３０００ｍｌとすることが望ましく、特に１０００ｍｌ〜２０００ｍｌとすることが望ましい。
【００３０】
なお、本考案にかかる飲料サーバー用のボトル口アダプタを使用する際には、前記ペットボトルの口部を前記第１部分に嵌合又は螺合し、前記ペットボトルの口部を下方にして、倒立させる。この為、前記ペットボトルの口部に荷重が集中するおそれがある。よって、前記ペットボトルの口部ないしその周辺部分の変形や破損のおそれを低減させる為に、本考案にかかる飲料サーバー用のボトル口アダプタに使用するペットボトルは、その口部乃至はその周辺部分の曲げ強度が、ペットボトルの内容物の荷重に耐え得る程度である事が望ましい。また、当該飲料サーバー用のボトル口アダプタは、倒立状態で設置したペットボトルを保持する支持部を設ける事も望ましい。かかる支持部は、前記アダプタ本体から立ち上がるように設けたアームとして形成することができる。
【考案の効果】
【００３１】
以上のように構成される本考案にかかる飲料サーバー用のボトル口アダプタは、サビ等が発生するおそれのある金属部材や、雑菌が繁殖しやすいゴム部材等を使用することなく、合成樹脂の射出成形やブロー成形等の手段により作成できる為、飲料サーバーを利用する場合であっても、飲料を従来よりも衛生的に貯留し供給することができる。
【００３２】
また、本考案にかかる飲料サーバー用のボトル口アダプタは、前記第１部分に形成される第１の領域にペットボトルを装着することができ、前記第２部分に形成される第２の領域に飲料サーバーに用いられるスクリューキャップ等を装着することができる為、従来提供されている飲料サーバーにおいても、飲料を貯留する容器としてペットボトルを利用可能とすることができる。これにより、従来提供されている飲料サーバーであっても、ボトル交換の負担を軽減することができる。
【図面の簡単な説明】
【００３３】
【図１】第１の実施形態を示す、（Ａ）平面図、（Ｂ）正面図、（Ｃ）底面図、（Ｄ）Ｄ−Ｄ断面図
【図２】第１の実施形態の使用状態を示す、（Ａ）分解斜視図、（Ｂ）斜視図
【図３】第１の実施形態の使用状態を示す、（Ａ）断面図（飲料サーバー接続前）、（Ｂ）断面図（飲料サーバー接続後）
【図４】第２の実施形態を示す断面図
【図５】第３の実施形態を示す断面図
【図６】第４の実施形態を示す断面図
【図７】第５の実施形態を示す平面図
【考案を実施するための形態】
【００３４】
以下、本実施の形態にかかる飲料サーバー用のボトル口アダプタを、図面を参照しながら詳細に説明する。図１は、第１の実施形態を示す、（Ａ）平面図、（Ｂ）正面図、（Ｃ）底面図、（Ｄ）Ｄ−Ｄ断面図である。本実施の形態にかかる飲料サーバー用のボトル口アダプタは、図１に示すように、ペットボトル２１の口部を装着する第１部分５１と、この第１部分の下方に一体形成されてスクリューキャップ３１を外装する第２部分５２とからなるアダプタ本体５０を用いて形成されている。第１部分５１の内壁面には、ペットボトルの口部を装着可能なねじ込み部１４を形成しており、第二部分の外壁面には、飲料サーバーに装着されるキャップ（スクリューキャップ３１）を装着可能なねじ込み部１５を形成している。
【００３５】
前記第１の領域１２の上部の口径は、一般的に流通しているペットボトル２１を装着できるよう２．８ｃｍとして構成した。かかる口径は、他の口径のペットボトルを利用する場合や、ねじ込んだ際の締り具合等の諸般の事情に応じて適宜調整することができる。第２の領域１３の高さは、飲料サーバーに装着されるキャップが備える栓部材が飲料サーバーと接続した際に抜ける高さとして形成することができ、本実施の形態においては２．５ｃｍとして形成した。かかる高さとすることで、飲料サーバーに装着されるキャップとして一般的に流通しているスクリューキャップ３１に対応する高さとすることができる。使用するキャップの種類や栓部材の高さその他の事情に応じて、第２の領域１３の高さを適宜調整しても差し支えない。第１の領域１２と第２の領域１３とは連通しており、第１の領域１２に装着されたペットボトルの内容物は、当該連通部分を通り第２の領域１３以下へと流下する。この為、当該連通部分は、ペットボトル２１の内容物が通過することができる大きさとして形成することができ、本実施の形態においては、直径２．８ｃｍの略円形状に形成した。
【００３６】
図２は、第１の実施形態の使用状態を示す、（Ａ）分解斜視図、（Ｂ）斜視図である。本実施の形態にかかる飲料サーバー用のボトル口アダプタ１１は、前記アダプタ本体５０とスクリューキャップ３１とを組み合わせて構成されており、図２に示す通り、上方にペットボトル２１、下方のスクリューキャップ３１を飲料サーバー４１に接続して使用される。ペットボトル２１とスクリューキャップ３１は、本実施の形態にかかる飲料サーバー用のボトル口アダプタ１１と各々螺合することにより接続される。よって、前記第１の領域は円筒状の内壁部を備え、第２部分のは円筒状の外周を備えて構成されている。
【００３７】
スクリューキャップ３１は、飲料サーバー４１へ嵌合されて接続される。本実施の形態においては、飲料サーバー４１への嵌合によりスクリューキャップ３１が開栓される為、ペットボトル２１、飲料サーバー用のボトル口アダプタ１１及びスクリューキャップ３１を各々接続した後に、飲料サーバー４１へ接続することが望ましい。
【００３８】
図３は、第１の実施形態の使用状態を示す、（Ａ）断面図（飲料サーバー接続前）、（Ｂ）断面図（飲料サーバー接続後）である。スクリューキャップ３１は、底面の中央に上方へ向かって曲折する内壁により区画された注水口３２が設けられており、注水口３２の上部開口は栓部材３３を備えている。上述のとおり、本実施の形態においては、飲料サーバー４１への嵌合によりスクリューキャップ３１が開栓され、ペットボトル２１の内容物が流下する。具体的には、図３（Ａ）に示すように、各々接続されたペットボトル２１、飲料サーバー用のボトル口アダプタ１１及びスクリューキャップ３１は、飲料サーバー４１への接続前においては注水口３２が栓部材３３により閉塞されて内容物が流下しないが、図３（Ｂ）に示す通り、飲料サーバー４１への嵌合により飲料サーバー４１の導水口４２が栓部材３３を押し上げて開栓し、飲料サーバー４１内へ飲料を供給する。
【００３９】
以上のように構成される、本実施の形態にかかるボトル口アダプタは、サビ等が発生するおそれのある金属部材や、雑菌が繁殖しやすいゴム部材等を使用することなく、合成樹脂の射出成形やブロー成形等の手段により作成できる為、飲料サーバーを利用する場合であっても、飲料を従来よりも衛生的に貯留し供給することができる。また、本実施の形態にかかる飲料サーバー用のボトル口アダプタは、第１の領域にペットボトルを装着することができ、第２の領域にスクリューキャップを装着することができる為、従来提供されている飲料サーバーにおいても、飲料を貯留する容器としてペットボトルの利用を可能にすることができる。これにより、従来提供されている飲料サーバーであっても、ボトル交換の負担を軽減することができる。
【００４０】
図４は、第２の実施形態を示す断面図である。本実施の形態にかかる飲料サーバー用のボトル口アダプタは、第１の領域１２を、高さ方向における下方に向かって窄む先窄み形状（いわゆるすり鉢状）として形成した。本実施の形態においては、最小２．８ｃｍ〜最大３．５ｃｍの口径の口部を有するペットボトルを装着可能に構成した。かかる先窄み形状の最小径と最大径は、利用が予想されるペットボトルの口部の口径との関係において適宜調整することができる。
【００４１】
本実施の形態にかかる飲料サーバー用のボトル口アダプタによれば、口径が２．８ｃｍ〜３．５ｃｍの範囲内の様々な口径のペットボトルを装着することができるので、更に利用の幅を広げることができる。
【００４２】
図５は、第３の実施形態を示す断面図である。実施の形態にかかる飲料サーバー用のボトル口アダプタは、第１の領域１２に固定部材としてゴムパッキン１２１を備えた。本実施の形態においては、第１の領域にねじ込み部を形成しておらず、ペットボトルは第１の領域へ嵌合されて接続される。このとき、嵌合されたペットボトルの口部は、ゴムパッキン１２１により固定されて第１の領域１２から外れにくくなる。また、ゴムパッキン１２１はゴム製である為、ペットボトルの内容物を遮断することができ、外部へ漏出するおそれを低減させることができる。なお、ゴムパッキン１２１に代えて、スポンジ等の他の固定部材を設けることも差し支えない。
【００４３】
本実施の形態にかかるボトル口アダプタによれば、第１の領域１２にゴムパッキン１２１が備えられており、ペットボトルを嵌合により接続する場合であっても、より強固に接続することができ、ペットボトルの脱落や内容物の漏出の危険を低減させることができる。
【００４４】
図６は、第４の実施形態を示す断面図である。本実施の形態においては、第１の領域１２に仕切部１２２を設けた。仕切部１２２は、第１の領域１２の下端から中央方向へ延出する板状部材であり、仕切部１２２の中央には第２の領域１３への連通部分となる孔１２３を設けた。当該孔１２３は、スクリューキャップの栓部材３３の最小辺より小さくなるよう直径０．９ｃｍとして形成しており、栓部材の通過を阻止することができる（栓部材の最小辺は１ｃｍ）。連通部分となる孔を複数設けることも差し支えない。
【００４５】
本実施の形態にかかるボトル口アダプタは、第１の領域１２と第２の領域１３との連通部分を栓部材３３が通過することができず、栓部材３３が第２の領域１２内に留まる為、ペットボトル内への栓部材３３の侵入を防ぐことができる。
【００４６】
図７は、第５の実施形態を示す平面図である。本実施の形態においては、第１の領域１２の下端中央から放射状に広がる形状に形成した梁部材１２４を備えた。梁部材１２４により区画される連通部分は、スクリューキャップの栓部材より小さくなるよう各々開口箇所の最大幅が０．９ｃｍとなるよう形成した（栓部材の最小辺は１ｃｍ）。梁部材は栓部材の通過を阻止できるものであればよく、十字状、直線状その他の形状として適宜形成することができる。
【００４７】
本実施の形態にかかるボトル口アダプタは、梁部材１２４により区画される連通部分を栓部材が通過することができず、栓部材が第２の領域内に留まる為、ペットボトル内への栓部材の侵入を防ぐことができる。
【００４８】
なお、本考案にかかる飲料サーバー用のボトル口アダプタは、上記の実施形態に何ら限定されるものではなく、本考案の趣旨を逸脱しない限りにおいて、適宜変更することができる。
【符号の説明】
【００４９】
１１      ボトル口アダプタ
１２      第１の領域
１２１    ゴムパッキン
１２２    仕切部
１２３    仕切部の孔
１２４    梁部材
１３      第２の領域
１４      ペットボトルの口部に対応するねじ込み部
１５      スクリューキャップに対応するねじ込み部
２１      ペットボトル
３１      スクリューキャップ
３２      注水口
４１      飲料サーバー
４２      導水口
５０      アダプタ本体
５１      第１部分
５２      第２部分